(57)【要約】磁気テープ・リール（１２）の芯要素（３２）を中心位置に固定するための中央心出し突起部（２０）および心出し突起部（２０）から放射方向に離間した等距離の位置にトレイ要素（１４）を段重ねするための段重ね突起部（２２）が同方向に突出している底面（１６）を有するトレイ要素（１４）を備える芯要素（３２）に取り付けられている磁気テープ・リールを収容するためのパッケージである。
2005518311.tif 000002
【特許請求の範囲】
【請求項１】
磁気テープ・リール（１２）の芯要素（３２）を中心位置に固定するための中央心出し突起部（２０）が突出している底面（１６）を有するトレイ要素（１４）を備え、該心出し突起部（２０）から放射方向に離間した等距離の位置に、該トレイ要素（１４）を段重ねするための段重ね突起部（２２）が突出している、前記芯要素（３２）に取り付けられている磁気テープ・リール（１２）を収容するためのパッケージであって、
前記トレイ要素（１４）の前記底面（１６）が矩形を成し、前記段重ね突起部（２２）が隅部（１８）において前記トレイ要素（１４）の矩形を成す底面（１６）から上方に向け前記心出し突起部（２０）と同方向に突出し、前記底面（１６）の外縁部（２８）の周縁方向に延びる壁（３０）が該外縁部（２８）から上方に突出し、前記底面（１６）と前記磁気テープ・リールとの間に介在層要素が配され、前記トレイ要素（１４）に配されている前記磁気テープ・リール（１２）の上に第２介在層要素が配され、前記磁気テープ・リール（１２）および前記介在層要素を収容した前記トレイ要素が溶着によってプラスチック・フィルム（４０）内に密封されることを特徴とするパッケージ。
【請求項２】
各々が溶着によってプラスチック・フィルム（４０）内に密封されている、前記磁気テープ・リール（１２）を収容した多数の前記トレイ要素（１４）が、輸送梱包用エンクロージャー内に配列されることを特徴とする請求項１記載のパッケージ。
【発明の詳細な説明】
【技術分野】
【０００１】
本発明は、請求項１のおいて書きに記載のような芯要素に取り付けられている磁気テープ・リールを収容するためのパッケージに関するものである。
【背景技術】
【０００２】
従来から、磁気テープ・リールは、例えば、プラスチック・フィルム内に溶着によって密封されている。しかし、その後、前記プラスチック・フィルムは、磁気テープ・リールの芯要素部分をカッティング・バーに当て貫通させることにより再び穴が開けられる。前記のようにして、再度開放されたプラスチック・フィルム内に収容された磁気テープ・リールは、梱包用段ボール箱の内部に配列されている梱包材料の一部を成す心棒に通される。心棒に通された隣接する２つの磁気テープ・リール間には、例えば、発泡プラスチック材料から成る介在層要素が配される。従って、前記周知の梱包方法は、プラスチック・フィルムが開放されているため、防塵効果が低いという欠点を有している。また、前記のような梱包用段ボール材料は、湿気に弱いという難点があり、特に海上輸送の場合、大きな障害となる。前記段ボール梱包の別の問題として、比較的安定性に欠けるという問題が挙げられる。安定性に欠けることにより、磁気テープ・リールに巻装されているテープに無用な位置ずれが生じる可能性がある。
【０００３】
前記磁気テープ・リールに巻装される磁気テープの幅は、例えば、６．３５ｍｍ、または１２．７ｍｍであるが、別の寸法の磁気テープも可能である。磁気テープ・リールの外径は、例えば、約３００ｍｍであり、この場合、磁気テープの長さは４０００ｍ以上に達する。
【０００４】
本明細書の冒頭で述べたようなパッケージが特許文献１に記載されている。前記周知のパッケージは、各々のトレイ要素が上面に円形の底面およびそれに隣接する４つの隅部に突起を備え、上から見ると、全体として矩形を成している。前記周知のトレイ要素において、段重ね突起部は中央心出し突起部の近傍に凹形に形成されている。前記段重ね突起部は前記トレイ要素の下部に配され、収容される磁気テープ・リールの芯要素を支持する。前記構成のパッケージにおいては、磁気テープ・リールを収容した状態において、トレイ要素間およびその間に配される磁気テープ・リールに押圧力が働き、極端な場合、磁気テープ・リールを損傷することがある。
【０００５】
本明細書の冒頭で述べたようなパッケージは特許文献２にも記載されている。前記周知のパッケージは、各々のトレイ要素が矩形底面の隅部に凹形の段重ね突起部を有している。各々のトレイ要素が、底面に磁気テープ・リールが配される隆起部を有している。前記周知のパッケージにおいても、関連するトレイ要素間に磁気テープ・リールが直接固定されるため、磁気テープ・リールが損傷する可能性がある。
【０００６】
フランジを備えていない各種巻装芯に磁気テープを巻装することができる、プラスチック材料から成る段重ね可能な運送用パレットが特許文献３に開示されている。前記パレットは中央穴を有し軸中心に突出している突起部を有している。特に、前記パレットは、各種巻装芯を収容することができるよう形成されているフランジを備えていない芯に巻装される比較的径の大きな磁気テープの輸送に適している。前記のような一対のパレットは、段重ね可能な芯に巻装され、連続的に直接段重ねされている多数の磁気テープの外周部分を覆うために熱収縮フィルムに収められる。従って、この場合、磁気テープ・リールが直接段重ねされ互に支持することになる。１つの磁気テープ・リールが必要になったとき、段重ねした一群を開放する必要がある。
【特許文献１】米国特許第３６８５６４６号明細書
【特許文献２】米国特許第４１２０３９８号明細書
【特許文献３】スイス国特許出願公開第６２３９５２号（Ａ５）
【発明の開示】
【発明が解決しようとする課題】
【０００７】
本発明の目的は、磁気テープ・リールに巻装されている磁気テープ層の位置ずれ防止、磁気テープ・リールの完全防塵、および輸送途上における損傷防止が可能な本明細書の冒頭で述べたような種類のパッケージを提供することである。
【課題を解決するための手段】
【０００８】
本発明によれば、本明細書の冒頭で述べたような種類のパッケージにおいて、前記目的はクレーム１の特徴によって達成される。
【０００９】
溶着によってプラスチック・フィルム内に個別に密封されている磁気テープ・リールを収容している多数のトレイ要素を輸送梱包用のエンクロージャー内に配列することができる。
【００１０】
前記トレイ要素は構造が簡単で製造コストが安い。前記トレイ要素には薄い小さな壁が備えられるのみで、自重を最小に抑えることができる。前記トレイ要素は形状の点において、磁気テープ・リールの輸送途上における損傷を確実に防止することができる機械的強度および安定性を備えている。磁気テープ・リールの芯要素を支持する底面から突出している中央心出し突起部の軸方向の寸法、即ち、高さが前記芯要素の軸方向の寸法に適合しており、磁気テープ・リールの幅方向の寸法が前記芯要素の寸法と一致しているか、または若干小さく形成されている。
【００１１】
段重ねされる磁気テープ・リールを収容しているトレイ要素は、それぞれ段重ね突起部によって支持されるため、互いに密着して段重ねしたとき磁気テープ・リール間に明確な間隔が設けられる、即ち、互いに分離される。形状的に安定している前記トレイ要素によって、磁気テープ・リールの磁気テープ層の位置ずれが防止される。
【００１２】
本発明によれば、底面の外縁から上方に突出している周縁部に延びている壁によって、個々の磁気テープ・リールが効果的に保護される。前記周縁部に延びている壁は、段重ね突起部が明確に上方に突出するような寸法に形成されているため、前記トレイ要素を互いに段重ねしたとき、前記トレイ要素の壁が互いに接触する。これにより、段重ねされた磁気テープ・リールが外部から影響を受けることがなくなる。
【００１３】
トレイ要素の底面と磁気テープ・リールとの間に配される介在層によって、磁気テープ・リールが保護されると共に最適に支持される。前記介在層要素が適切な発泡プラスチック材料から成ることが好ましい。前記材料には発泡ポリウレタンが含まれる。前記介在層要素は前記トレイ要素の中央心出し突起部に対応する穴を有している。
【００１４】
前記と同じ目的、即ち、磁気テープ・リールの保護を強化するため、第２介在層要素が前記トレイ要素に配されている前記磁気テープ・リールの上に配される。在庫管理を簡素化するため、前記第２介在層要素は、底面側に配される前記第１介在層要素と同一構造体であることが好ましい。
【００１５】
本発明によれば、前記磁気テープ・リールおよび介在層要素を収容している前記トレイ要素が溶着によってプラスチック・フィルム内に密封されることにより、前記磁気テープ・リールが確実に防塵される。前記のように確実に防塵することが、磁気テープの機能特性を満足する上における、即ち、意図しない機能障害を防止する上における、磁気テープ・リールの非常に重要な側面である。前記使用されるプラスチック・フィルムは、例えば、ポリエチレン・フィルムである。
【００１６】
溶着によってプラスチック・フィルム内に密封されている多数の磁気テープ・リール、即ち、磁気テープ・リールを収容している多数の本発明によるパッケージは、出荷梱包用エンクロージャーに内に配列されることが好ましい。前記輸送梱包用エンクロージャーは、例えば、段ボール材用から成る出荷梱包用エンクロージャーである。次に、前記出荷梱包用段ボール箱を、例えば、容積が１ｍ３のコンテナに配列することができる。
【００１７】
本発明によるパッケージの詳細、特徴、および効果は、添付図面に示し以下に説明する実施の形態により更に明確に理解することができる。
【発明を実施するための最良の形態】
【００１８】
図１は磁気テープ・リール１２のパッケージ１０を示す図である。パッケージ１０は底面１６を有するトレイ要素１４を備えている。底面１６は上部から見て矩形を成し、隅が面取りされている。
【００１９】
図２からも分かるように、中央の心出し突起部２０および心出し突起部２０から放射方向に離間した等距離の位置に配されている段重ね突起部２２が、底面１６から上方に向け同一方向に突出している。
【００２０】
図１の実施の形態において、段重ね突起部２２の周縁部の輪郭形状が台形を成しているが別の形状も可能である。
【００２１】
各々の段重ね突起部２２は、上端部に周縁方向に延びる位置合せ面２４、および下端部に突起周囲に延びる前記位置合せ面に対応する支持面２６を有している。隣接するパッケージ１０を相互に密着して段重ねしたとき、底面の支持面２６が上端部の位置合せ面と正確に嵌合するため、隣接パッケージ１０またはパッケージ１０のトレイ要素１４が固定され横方向の位置ずれが防止される。
【００２２】
周縁方向に延びる壁３０がトレイ要素１４の底面１６の外縁部２８から上方に突出している。壁３０の高さ方向の寸法が、支持面２６と位置合せ面２４との間の段重ね突起部２２の高さ方向の寸法と一致しているため、１つのトレイ要素１４に別のトレイ要素１４を段重ねしたとき、２つのトレイ要素は壁３０によって相互に支持される。段重ね突起部２２は、図２が明確に示しているように、周縁部に延びる壁３０より若干上方に突出している。
【００２３】
磁気テープ・リール１２は、相互に離間した幾つかの線３６で僅かに示してある（
図１）環状芯要素３２に巻装されている磁気テープを備えている。芯要素３２はトレイ要素１４の中央心出し突起部２０の直径に適合する直径の中央穴３８を有しているため、トレイ要素１４に機構的な遊びが生じることなく、磁気テープ・リール１２が中央心出し突起部２０によって支持される。磁気テープ・リール１２がトレイ要素１４に収容される前に、介在層要素または発泡プラスチック材料から成るセパレーター（図示ぜず）がトレイ要素１４に配される。前記介在層要素が底面１６に配された後、磁気テープ・リール１２がトレイ要素１４に配される。次に、第２介在層要素またはセパレーター（図示せず）がトレイ要素１４に配されている磁気テープ・リール１２の上に配される。その後、磁気テープ・リール１２および介在層要素（図示せず）を収容したトレイ要素１４が、溶着によってプラスチック・フィルム４０内に密封される（図２）。前記のようにして用意されたパッケージ１０が密着して段重ねされる。次いで、前記のような多数の磁気テープ・パッケージ１０から成る一群が、段ボール材料から成る出荷梱包用エンクロージャー内に配列され出荷に備える。その後、前記のような多数の輸送梱包用エンクロージャーを、例えば、輸送コンテナに収容して輸送することができる。
【図面の簡単な説明】
【００２４】
【図１】トレイ要素およびトレイ要素内に配されている磁気テープ・リールを示す、パッケージの平面図。
【図２】磁気テープ・リール（図示せず）を装着したトレイ要素がプラスチック・フィルムに完全に覆われていることを明確に示す磁気テープ・リールが示されていない、図１のトレイ要素のＩＩ−ＩＩ線断面図。
【符号の説明】
【００２５】
１０      パッケージ
１２      磁気テープ・リール
１４      トレイ要素
１６      底面
２０      中央心出し突起部
２２      段重ね突起部
２４      位置合せ面
２６      支持面
２８      外縁部
３０      壁
３２      芯要素
３８      中央穴
４０      プラスチック・フィルム
【図１】
2005518311.tif 000003
【図２】
2005518311.tif 000004
【国際調査報告】
2005518311.tif 000005
2005518311.tif 000006
2005518311.tif 000007
2005518311.tif 000008